(57)【特許請求の範囲】
【請求項１】
ガス、水道、電力等の使用量の検針結果のプリントだけでなく、振込用紙を添付した使用料金の請求書の異なったパターンをプリントするためのフォーマットがあらかじめ準備されており、異なったパターンのフォーマットに対応した複数個の異なったアイマークを検出する機能を持ち、使用者の選択、又は利用者のデータに基ずいて、必要なフォーマットが選択され、選択されたフォーマットの中に検針結果のデータが挿入される形でプリントを行うようにしたハンディターミナルと、
フォーマットが印刷されていないプリンタ用紙に、プリンタ用紙の頭出しをするためのアイマークと、郵便振替専用払込書の第１票用のアイマークと、第２票用のアイマークを設けたサーマルプリンタ用紙とを使用し、
検針結果のお知らせ票をプリントする場合には、サーマルプリンタ用紙の頭出しをするためのアイマークによりプリント位置を定めてプリントを行い、
郵便振替専用払込書をプリントする場合には、サーマルプリンタ用紙の第１票用のアイマークにより第１票のプリント位置を定めてプリントを行い、第２票用のアイマークにより第２票のプリント位置を定めてプリントを行うようにしたことを特徴とするサーマルプリンタによる郵便振替専用払込書等のプリント方法。
【発明の詳細な説明】
【０００１】
【発明の属する技術分野】
本発明はガス、水道、電力等の検針票作成に使用されるハンディターミナルのサーマルプリンタ等を使用して、郵便振替専用払込書のプリントを行なうことが出来るようにした、サーマルプリンタによる郵便振替専用払込書等のプリント方法とこれを実施したプリンタ用紙に関するものである。
【０００２】
【従来の技術】
最近ガス、水道、電力等メータの検針票作成にサーマルプリンタを使用したハンディターミナルが使用されるようになった。このハンディターミナルはガス、水道、電力等の使用量を検針しその結果をお知らせ票として現場で印字し印字結果を切り離して使用者に渡するようにしている。
この場合、利用料金の自動引落の契約を行なっていない利用者に対しては、検針の結果のデータに基づいて、改めてガス、水道、電力等の供給会社より利用者に利用料金を請求する振込取扱書や振込票が送られ、これにより利用者は料金の振込を行なうようにしているのが現在の状況である。
自動引落の契約を行なっていない利用者に利用料金を請求する振込通知書や振込依頼書を送るための事務手続きは多くの時間と費用を必要とし、結果として利用料金のコスト増大の要因の一つとなっている。
【０００３】
【発明が解決しようとする課題】
このような問題を解決するためには、利用料金の自動引落の契約を行なっていない利用者に対しては、ガス、水道、電力等の使用量を検針しその結果を現場で印字する時に検針結果のお知らせ票と共に、支払料金の記入された振込用紙を添付した使用料金の請求書のプリントが行なえるようにすることが望ましい。
現在、ガス、水道、電力等の料金の振込処理は、イメージ処理によるＯＣＲを使用した自動読み取り処理が普及しつつあり、郵便振替においても郵便振替専用払込書の規格である郵政振替私製基準が作成されている。
【０００４】
郵便振替専用払込書は、ＯＣＲ読み取り装置によるデータ処理を前提としているために、ＯＣＲ用紙等にあらかじめ規定のフォーマットプリントを施し、そのフォーマットにデータを手書きもしくは熱転写、インクジェツト、レーザー記録方式にて書き込む事により入力処理がなされるようになっている。
これに対し、ガス、水道、電力等の使用量の検針結果をお知らせ票としてプリントするハンディターミナルのサーマプリンタでは、現状では印字打ち出し精度が悪く、郵便振替専用払込書の規格である郵政振替私製基準の寸法精度を実現する事は非常に困難であった。
このような問題を解決するために、ハンディターミナル等のサーマルプリンタを使用して郵政振替私製基準の振込書寸法精度基準を満足する払込書を作成する事が求められている。
【０００５】
【課題を解決するための手段】
本発明は、サーマルプリンタで一連２票式郵便振替専用払込書を作成するために、サーマルプリンタ用紙に郵便振替専用払込書の第１票用のアイマークと、第２票用のアイマークを設けておき、第１票用のアイマークにより第１票のプリント位置を定めてプリントを行い、第２票用のアイマークにより第２票のプリント位置を定めてプリントを行なうようにしたサーマルプリンタによる郵便振替専用払込書のプリント方法とこれを実施したプリンタ用紙を実現することにより、従来の問題の解決を図ったものである。
【０００６】
【発明の実施の形態】
【実施例】
図１は本発明のサーマルプリンタによる郵便振替専用払込書等のプリント方法とこれを実施したプリンタ用紙の構成を示す説明図である。図１において、（ａ）は郵便振替専用払込書のプリントされるサーマルプリンタ用プリンタ用紙の表面を、（ｂ）はその裏面を示す。
図１の（ａ）において、Ｐ１は郵便振替専用払込書の第１票目のプリントされる領域、Ｐ２は郵便振替専用払込書の第２票目のプリントされる領域である。領域Ｐ１と領域Ｐ２により一枚の郵便振替専用払込書のプリントパターンが形成される。
Ｍは、プリント済みの郵便振替専用払込書を切り離し易くするために、プリントパターンの一枚ごとの境目に入れられているミシン目である。
ｍは、プリント済みの郵便振替専用払込書の第１票目のデータのプリントされる領域Ｐ１と第２票目のデータのプリントされる領域Ｐ２の部分を切り離し易くするために、領域Ｐ１と領域Ｐ２の間に入れられているミシン目である。
【０００７】
図１の（ｂ）において、ｄｔ１，ｄｔ２はそれぞれプリント位置決めの為のアイマーク、ｄｔ３は用紙の頭出し用アイマークである。アイマークｄｔ１，ｄｔ２は郵便振替専用払込書の第１票目のデータのプリントされる領域Ｐ１と第２票目のデータのプリントされる領域Ｐ２の位置決めの為のアイマークである。ｄｔ３は郵便振替専用払込書と、ガス、水道、電力等の使用量を示す積算メータの検針結果のお知らせ票をプリントするための用紙の頭出しに使用されるアイマークである。
サーマルプリンタは、郵便振替専用払込書のフォーマットとデータのプリントを行なう場合には、用紙を送り出していき、図１の（ｂ）のｄｔ１のプリント位置決めの為のアイマークを検出するとプリント用紙を停止させ、第１票目のデータのプリントされる領域Ｐ１のプリント位置決めを行ない、フォーマットとデータとを同時にプリントする。領域Ｐ１のプリント後に、サーマルプリンタは図１の（ｂ）のｄｔ２のプリント位置決めの為のアイマークを検出するとプリント用紙を停止させ、第２票目のデータのプリントされる領域Ｐ２のプリント位置決めを行ない、フォーマットとデータとを同時にプリントする。領域Ｐ２のプリント後に、サーマルプリンタは図１の（ｂ）のｄｔ３のアイマークを検出するとプリント用紙を停止させ、次のプリントパターンをプリントするための頭だしの位置決めを行なう。
【０００８】
このようにして、払込書の１票目の位置決めのためのアイマークｄｔ１により１票目のプリント位置を決め、又払込書の２票目の位置決めのためのアイマークｄｔ１をミシン目ｍの直後につけ、このアイマークｄｔ２を検出することにより２票目のプリント位置を決めることにより書き出し精度を上げることが出来る。更に、次のプリントの頭出しを行うために払込書の後の位置にアイマークｄｔ３けて次のプリントに備えるようにしている。
アイマークｄｔ１，ｄｔ２，ｄｔ３は、その幅を変えることによりマークの持つ機能を識別出来るようにしてある。
具体的には、
アイマークｄｔ１は幅２ｍｍ±０．１
アイマークｄｔ２は幅５ｍｍ±０．１
アイマークｄｔ３は幅３ｍｍ±０．１
と設定することにより、その幅によりプリンタはアイマークの機能を識別出来る。
【０００９】
このように３種類のアイマークを使用することにより二つの異なったデータ領域を持った郵便振替専用払込書のフォーマットとデータをサーマルプリンタにより正確にプリントすることが可能になる。
図２、図３、図４はそれぞれ郵政振替私製基準の振込取扱票、振込票、振込取扱票と振込票の位置関係規格を示したものである。
郵便振替専用払込書は、図２に示すような口座番号欄、金額欄、加入者名欄よりなる第１票の振込取扱票と、図３に示すような振込票兼受領書よりなる第２票の振込票とよりなり、振込取扱票と振込票との間にミシン目が入れられた構成になっており、その位置関係が図４に示すように厳しく規定されている。
即ち、振込取扱票左辺ミシン目は、図２に示すように、口座番号欄の左辺縦線より４ｍｍ±０．３ｍｍ以内すること。
又、同様に第２票の振込票の印字位置合わせ枠の位置も図４に示すように、口座番号の右辺縦線は、左辺ミシン目から５４．２６±１ｍｍ以内とする。
【００１０】
このような厳しい規格に対しても、図１の（ｂ）に示すようなそれぞれ独自のアイマークを設けることにより、プリント位置決め精度の高くないサーマルプリンタを使用して対応が可能になった。
この場合の、サーマルプリンタによりプリントされる郵便振替専用払込書の位置の精度は、サーマルプリンタ用紙にあらかじめ設定されている、ミシン目とアイマークとの位置関係の精度に影響される。
このため、各アイマークの印刷と、ミシン目とアイマーク印刷との間の加工精度は、±０．２ｍｍ（出来れば±０．２ｍｍ以下であればより望ましい）することが必要であるが、この精度はアイマークの印刷機の調整により可能である。
【００１１】
図５は、本発明のサーマルプリンタ用紙が使用されるハンディターミナルのサーマルプリンタの機能を説明するためのフローチャートである。
本発明のサーマルプリンタ用紙を使用するハンディターミナルでは、検針結果を知らせるお知らせ票のプリントと同時に、郵便振替専用払込書を添付した使用料金の請求書の異なったパターンのプリントを選択的に行なえるようにしている。
このために、ハンディターミナルには検針結果のプリントだけでなく、郵便振替専用払込書を添付した使用料金の請求書の異なったパターンをプリントするためのプログラムのフォーマットがあらかじめ準備されており、ハンディターミナルの使用者の選択により、又はあらかじめ、セットされた利用者のデータに基ずいて、必要なフォーマットが選択され、選択されたフォーマットの中に検針結果のデータが挿入された形でプリントされる。
【００１２】
この動作を図５のフローチャートに従って説明する。
検針者はハンディターミナルに検針の結果を入力した後に、利用者の支払い形態に応じたプリントフォーマットの設定を行い、プリント開始のスタートボタンを押す。
スタートボタンが押されると、ハンディターミナルは検針の結果に対して、プリントに必要なデータを得るための各種の計算処理を行なう。
計算処理が終了すると、ハンディターミナルは利用者の支払い形態の検出を行なう。支払い形態の検出は、利用者がどのような形で料金の支払い方法を行なうか、即ち利用者が、銀行口座より自動引落の契約を行なっているかどうかを検出するものである。
【００１３】
ハンディターミナルは、支払い形態が検出されると、これに合致したプリント情報の編集を行なう。
ハンディターミナルは、プリント情報の編集が行なわれると、プリント情報をプリントするための、適合レイアウトの選定を行なう。適合レイアウトの選定では、利用者の料金の支払い形態に合わせたプリントフォーマットの設定が行なわれる。プリントフォーマットは、支払い形態により異なっているので、利用者の料金の支払い形態に合わせたプリントフォーマットが選定される。
尚、あらかじめ利用者の料金の支払い方法が分かっている場合には、これをハンディターミナルに入力しておけば、利用者の名前を入力したときにその利用者の料金の支払形態の検出をハンディターミナルがチェツクして自動的に適合レイアウトの選定が行われ、プリントフォーマットの種類設定を行うようにすることも出来る。
【００１４】
プリント情報の編集と適合レイアウトの選定が終わると、ハンディターミナルはプリント情報と適合レイアウトの情報を同時にプリンタに供給し、これら二つの情報の同時プリントを行ない、プリント結果として、利用者の料金の支払い形態に合わせたフォーマットに、検針結果のデータのプリント情報のプリントされたプリントフォーマットを得ることが出来る。
口座振り替えの契約を行なっている利用者の料金は口座より自動的に振り替え行われるので、自分で料金の振込手続きを行なう必要が無いため、検針結果の使用量とこれに対する利用利用金をプリントした、お知らせ票だけをプリントすれば良いので、図１の（ｂ）のｄｔ３のアイマークを検出した時にこのマークを基準にして、従来の方法でプリントを行う。このお知らせ票のプリントはその位置が多少ずれても問題は無いので、このプリントに使用するアイマークはｄｔ３だけ出よい。
【００１５】
口座振り替えの契約を行なってない利用者の料金は、自分で振込を行なうことが必要である。このために、ハンディターミナルには、お知らせ票のプリントの後に、郵便振替専用払込書をプリントするように構成されており、郵便振替専用払込書のフォーマットがセットされている。
図６にメモリマップ上の郵便振替専用払込書のフォーマットのデータの状態を示す。
図１（ａ）の第１票Ｐ１のデータは、メモリの１ドット目から９６０ドットに配置されている。図１（ａ）の第２票Ｐ２のデータは、メモリの９６９ドット目から１４０８ドットに配置されており、第１票Ｐ１のデータと第２票Ｐ２のデータとの間には、９６１ドット目から９６８ドットまでの８ドット（印字ピッチで１ｍｍ分）の予備領域が設けられている。この予備領域は、第２票Ｐ２のデータの印字開始位置の調整に使用される。
【００１６】
ハンディターミナルが、郵便振替専用払込書のプリントを行う場合には、図１の（ｂ）のｄｔ３のアイマークを検出した時に頭出しの準備を行う。
ハンディターミナルが、図１の（ｂ）のｄｔ１のプリント位置決めの為のアイマークを検出するとプリント用紙を停止させ、第１票目のデータのプリントされる領域Ｐ１のプリント位置決めを行ない、図５のメモリマップ上の１ドット目から９６０ドットに設定されているフォーマットとデータとを同時にプリントする。次に、ハンディターミナルが図１の（ｂ）のｄｔ２のプリント位置決めの為のアイマークを検出するとプリント用紙を停止させ、第２票目のデータのプリントされる領域Ｐ２のプリント位置決めを行なう。この場合、第１票目のデータのプリントの結果に応じて、メモリマップ上の予備領域を使用して、第２票Ｐ２のデータの印字開始位置の調整が行なわれる。尚、第１票目のデータのプリントが図１の（ｂ）のｄｔ２のプリント位置決めの為のアイマークを越えてプリントされた場合には、第２票目のデータのプリントは中止される。第２票Ｐ２の印字開始位置が決まると、図５のメモリマップ上の９６９ドット目から１４０８ドットに設定されているフォーマットとデータとを同時にプリントする。このようにして、ｄｔ１，ｄｔ２，ｄｔ３の３個のアイマークを使用することにより郵便振替専用払込書の第１票目と第２票目とが規格に合った位置にプリントされた振込用紙をプリントアウトすることができる。
【００１７】
図７は、本発明のサーマルプリンタによる郵便振替専用払込書等のプリント方法により作成された郵便振替専用払込書（実施例）と、従来の１個のアイマークを使用する同一の位置決め精度のサーマルプリンタにより作成された郵便振替専用払込書（比較例）との精度、及びＯＣＲでの読取り特性の比較を示したものである。図７より明らかなように、同一の位置決め精度のサーマルプリンタを使用しても、本発明により郵便振替専用払込書の規格を充分に満足し、ＯＣＲでの読取り特性も良好なプリントを行うことが可能になった。
本発明により、口座振り替えの契約を行なっていない利用者に対しては、検針結果の使用量とこれに対する利用料金をプリントした、お知らせ票と共に、郵便振替専用払込書に振込に必要なデータのプリントされた振込用紙の組み合わされたプリントフォーマットを発行することが可能になる。
【００１８】
お知らせ票と共に、振込に必要なデータのプリントされた郵便振替専用払込書を渡された利用者は、その郵便振替専用払込書を郵便局に持って行くことにより直ちに振込の手続きを行なうことができる。又、電気、ガス、水道等の供給業者は、口座振り替えの契約を行なっていない利用者に対して改めて、振り替え用紙を付けた請求書を送る手続きが不要になるため、非常に効率の良い集金業務を行なうことが可能になる。
尚、上記の説明においては、料金の振込書が規格の厳しい郵便振替専用払込書の例について説明したが、本発明は郵便振替専用払込書だけに限定されるものではなく、銀行、コンビニ等のＯＣＲを使用して読み取りの行われる料金の振込書の作成にも適用することが可能である。
【００１９】
【発明の効果】
以上の説明より明らかなように、本発明は、ガス、水道、電力等の使用量を検針しその結果を現場でサーマルプリンタを使用して印字して、検針結果のお知らせ票と郵便振替専用払込書を作成するために、サーマルプリンタ用紙に用紙の頭出し用のアイマークと、郵便振替専用払込書の第１票用のアイマークと、第２票用のアイマークを設けておき、検針結果のお知らせ票をプリントする場合は用紙の頭出し用のアイマークによりお知らせ票のプリント位置を定めてプリントを行い、郵便振替専用払込書をプリントする場合には第１票用のアイマークにより第１票のプリント位置を定めてプリントを行い、第２票用のアイマークにより第２票のプリント位置を定めてプリントを行なうようにしたサーマルプリンタによる郵便振替専用払込書等のプリント方法とこれを実施したプリンタ用紙を実現することが出来る。
このために、利用者はその振込用紙を郵便局に持っていけば直ちに振込の手続きを行なうことができる。又、電気、ガス、水道等の供給業者は、口座振り替えの契約を行なっていない利用者に対して改めて、振り替え用紙を付けた請求書を送る手続きが不要になるため、非常に効率の良い集金業務を行なうことが可能になる。このように、利用者の料金支払形態に応じて、必要な様式の任意のプリントフォーマットを選定してプリントすることにより、効率の良い付加価値の高い検針業務を行なうことが出来る。
【図面の簡単な説明】
【図１】本発明のサーマルプリンタによる郵便振替専用払込書等のプリント方法とこれを実施したプリンタ用紙の構成を示す説明図である。
【図２】郵政振替私製基準の振込取扱票の規格を示したものである。
【図３】郵政振替私製基準の振込票の規格を示したものである。
【図４】郵政振替私製基準の振込取扱票と振込票の位置関係の規格を示したものである。
【図５】本発明のサーマルプリンタ用紙が使用されるハンディターミナルのサーマルプリタの機能を説明するためのフローチャートである。
【図６】メモリマップ上の郵便振替専用払込書のフォーマットのデータの状態を示す。
【図７】本発明のサーマルプリンタによる郵便振替専用払込書等のプリント方法により作成された郵便振替専用払込書（実施例）と、従来の１個のアイマークを使用する同一の位置決め精度のサーマルプリンタにより作成された郵便振替専用払込書（比較例）との精度の比較を示したものである。
【符号の説明】
Ｐ１・・・郵便振替専用払込書の第１票目のプリントされる領域，
Ｐ２・・・郵便振替専用払込書の第２票目のプリントされる領域，
Ｍ・・・プリント済みの郵便振替専用払込書を切り離し易くするミシン目，
ｍ・・・プリント済みの郵便振替専用払込書の第１票目のデータのプリントされる領域Ｐ１と第２票目のデータのプリントされる領域Ｐ２の部分を切り離し易くするためのミシン目，
ｄｔ１・・・郵便振替専用払込書の第１票目のデータのプリントされる領域Ｐ１のプリント位置決めの為のアイマーク，
ｄｔ２・・・郵便振替専用払込書の第２票目のデータのプリントされる領域Ｐ２のプリント位置決めの為のアイマーク，
ｄｔ３・・・郵便振替専用払込書と、ガス、水道、電力等の使用量を示す積算メータの検針結果のお知らせ票をプリントするための用紙の頭出しに使用されるアイマーク，
【図１】
0003704572.tif 000002
【図２】
0003704572.tif 000003
【図３】
0003704572.tif 000004
【図４】
0003704572.tif 000005
【図５】
0003704572.tif 000006
【図６】
0003704572.tif 000007
【図７】
0003704572.tif 000008